(57)【要約】【課題】いわゆるマルチビュー表示装置において、信号形式の異なる画像信号を表示パネルに出力する画像出力回路が比較的低コストでかつ簡易な構成で実現された表示装置を提供する。【解決手段】異なるタイミングで入力されるＷＶＧＡ信号とＣＶ信号又はＥＧＡ信号のうちＣＶ信号又はＥＧＡ信号を一時的に保持すると共に、ＷＶＧＡ信号の液晶パネル１１０への出力タイミングに合わせて一時的に保持したＣＶ信号又はＥＧＡ信号を液晶パネル１１０へ出力する画像出力回路を有する。これによれば、ＷＶＧＡ信号とＣＶ信号又はＥＧＡ信号とを液晶パネル１１０へ出力する出力回路を共通化でき、回路規模を縮小化できる。【選択図】図８
2007086370.tif 000002
【特許請求の範囲】
【請求項１】
それぞれ異なる視野から視認できる第1及び第2の画面を備える共通の表示パネルに第１及び第２の画像信号をそれぞれ出力して第１及び第２の画像を表示する表示装置であって、
前記第２の画像信号を保持すると共に、前記第１の画像信号の前記表示パネルへの出力タイミングに合わせて保持した前記第２の画像信号を前記表示パネルへ出力する画像出力回路を有することを特徴とする表示装置。
【請求項２】
前記画像出力回路は、前記表示パネルの画面の解像度に合致するように、前記第１の画像信号の解像度を変更する第１の解像度変更回路を有することを特徴とする請求項１に記載の表示装置。
【請求項３】
前記画像出力回路は、前記表示パネルの画面の解像度に合致するように、前記第２の画像信号の解像度を変更する第２の解像度変更回路を前記第１の解像度変更回路とは別個に有することを特徴とする請求項２に記載の表示装置。
【請求項４】
前記画像出力回路は、前記第２の画像信号として異なる信号形式の画像信号を選択的に入力可能に形成されており、
前記第２の解像度変更回路は、前記各信号形式に応じて前記第２の画像信号の解像度を変更可能に形成されている、
ことを特徴とする請求項３に記載の表示装置。
【請求項５】
前記第１の画像信号は、地図表示に必要な画像信号であることを特徴とする請求項１ないし４のいずれかに記載の表示装置。
【発明の詳細な説明】
【技術分野】
【０００１】
本発明は、共通の表示パネル上でそれぞれ異なる方向から異なる画像を視認できる表示装置に関する。
【背景技術】
【０００２】
共通の表示画面上で異なる方向からそれぞれ画像を視認できるマルチビュー表示装置としては、例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００３】
ところで、上記のようなマルチビュー表示装置では、例えば、運転席側画面、助手席側画面へそれぞれ異なる画像を表示する場合には、ＮＴＳＣ方式やＰＡＬ方式からなるコンポジットビデオ信号、ＥＧＡ（Enhanced Graphics Adapter）信号、ＷＶＧＡ(Wide Video Graphics Array)信号などの信号形式が互いに異なる画像信号から所望の形式の画像信号を選択して液晶パネル等の表示パネルに出力する必要がある。
しかしながら、上記のような信号形式が異なる画像信号は、それぞれ解像度や入力タイミングが異なる。これらの画像信号を同時に表示させるために、表示パネルに画像を表示させるための画像出力回路を信号形式毎に独立して形成すると、回路規模が大きくなり、装置コストも高くなる。
【０００４】
本発明は、上記の問題に鑑みて成されたものであり、その目的とするところは、いわゆるマルチビュー表示装置において、信号形式の異なる画像信号を表示パネルに出力する画像出力回路が比較的低コストでかつ簡易な構成で実現された表示装置を提供することにある。
【課題を解決するための手段】
【０００５】
本発明に係る表示装置は、それぞれ異なる視野から視認できる第1及び第2の画面を備える共通の表示パネルに第１及び第２の画像信号をそれぞれ出力して第１及び第２の画像を表示する表示装置であって、第２の画像信号を保持すると共に、第１の画像信号の前記表示パネルへの出力タイミングに合わせて保持した第２の画像信号を表示パネルへ出力する画像出力回路を有することを特徴としている。
この構成によれば、第２の画像信号を保持することにより第１の画像信号の表示パネルへの出力タイミングに合わせて第２の画像信号も表示パネルへ出力できるので、第１の画像信号と第２の画像信号を出力する出力回路を共通化でき、回路規模を縮小化できる。また、第２の画像信号のみを保持し、第１の画像信号はそのまま表示パネルに出力するので、必要最小限のメモリ容量で入力タイミングが異なる信号の出力タイミングを合わせることができる。
【０００６】
上記構成において、画像出力回路は、表示パネルの画面の解像度に合致するように、第１の画像信号の解像度を変更する第１の解像度変更回路を有する、構成を採用できる。また、画像出力回路は、表示パネルの画面の解像度に合致するように、第２の画像信号の解像度を変更する第２の解像度変更回路を第１の解像度変更回路とは別個に有する、構成を採用できる。
この構成によれば、異なるタイミングで入力される第１の画像信号と第２の画像信号とをそれぞれ独立に解像度を変更することにより、それぞれの解像度変更回路の回路構成を簡素化できる。
【０００７】
上記構成において、画像出力回路は、第２の画像信号として異なる信号形式の画像信号を選択的に入力可能に形成されており、第２の解像度変更回路は、各信号形式に応じて第２の画像信号の解像度を変更可能に形成されている、構成を採用できる。
この構成によれば、信号形式が異なる画像信号が選択的に入力される第２の解像度変更回路は、異なる信号形式に共通に使用されるので、回路規模を縮小できる。
【発明の効果】
【０００８】
本発明によれば、いわゆるマルチビュー表示装置において、信号形式の異なる画像信号を表示パネルに出力する画像出力回路を比較的低コストでかつ簡易な構成で実現できる。
【発明を実施するための最良の形態】
【０００９】
以下、本発明の最良の実施形態について、添付図面を参照しつつ説明する。
図１は本発明の一実施形態に係る車載用デュアルビュー表示装置の基本構成を説明するための図である。
この車載用デュアルビュー表示装置は、図１に示すように、表示制御部１０、表示パネルとしての表示部１００、画像ソース３００Ａ，３００Ｂ等から構成されている。
表示制御部１０は、第１の画像ソース３００Ａから画像データ（画像信号）ＤＴ１が供給されると共に第２の画像ソース３００Ｂから画像データ（画像信号）ＤＴ２が供給されて、これら第１及び第２の画像データＤＴ１，ＤＴ２からなる画像データ（画像信号）ＡＤＴを共通の表示部１００へ出力する。尚、表示制御部１０の具体的な構成については後述する。
また、第１及び第２の画像ソース３００Ａ,３００Ｂは、後述するカメラ、ＴＶ受信部、ＤＶＤ再生部、ＨＤ再生部、ナビゲーション部等の複数のソースで構成される。
【００１０】
表示部１００は、後述するように、液晶パネル、バックライト、視差バリア等から構成されており、第１の画像データＤＴ１に基づく第１の画像ＩＭ１を右方向から観察者ＯＢＲが視認できると共に第２の画像データＤＴ２に基づく第２の画像ＩＭ２を左方向から観察者ＯＢＬが視認できるように共通の表示画面に表示する。尚、表示部１００の具体的な構成については後述する。
【００１１】
図２は本発明の一実施形態に係る表示装置の外観斜視図、図３は本発明の一実施形態に係る車両への搭載例を示す斜視図である。
図２に示す表示装置の装置本体１００Ａは、車両のダッシュボード部分に内蔵されると共に、表示部１００は、図３に示すように運転席ＤＳと助手席ＡＳとの間に配置される。また、表示部１００には、表示装置を手動で操作するための操作部１５０が設けられている。
図３に示すケースにおいては、運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された異なる第１の画像ＩＭ１及び第２の画像ＩＭ２を同時に観ることができる。
【００１２】
図４ないし図８は本発明の一実施形態に係る表示装置の具体的な構成を示す図であって、図４は表示装置の機能ブロック図、図５は液晶パネルの断面構造及び作用を説明するための図、図６は液晶パネルの正面図、図７はＴＦＴ基板の回路図、及び図８は画像出力部の機能ブロック図である。
【００１３】
この表示装置は、図４に示すように、表示部１００加えて、制御部２０、分配回路３０、第１及び第２の画質調整回路５０Ａ，５０Ｂ、画像出力回路としての画像出力部７０等から構成されている。尚、上記した表示制御部１０は、制御部２０、分配回路３０、第１及び第２の画質調整回路５０Ａ，５０Ｂ、画像出力部７０等から構成される。
【００１４】
制御部２０は、プロセッサ（ＣＰＵ）、インターフェース回路、ＲＯＭ、ＲＡＭ等から構成され、ＲＯＭに記憶されたプログラムに従って表示装置を総合的に制御する。
さらに、制御部２０は、図４に示すように、車両に搭載されて画像や音声を供給する供給源としての、車両の周囲等を撮像するカメラ３１０、音楽や画像を再生するＭＤ（ミニディスク）再生部３２０、アンテナからラジオ放送波を受信するラジオ受信部３３０、アンテナからセレクタ３４１を介してＴＶ放送波を受信するＴＶ受信部３４０、ＣＤ（コンパクトディスク）やＤＶＤ（デジタル・バーサタイル・ディスク）から音楽情報や画像を再生するＣＤ／ＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０、半導体メモリカードに記憶された情報を再生する半導体メモリ再生部３８０等と接続されて、これらとの間でデータを授受すると共にこれらをコントロールする。
また、制御部２０には、各種データを記憶するメモリ１４０、表示装置を操作するための操作部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。
【００１５】
分配回路３０は、図４に示すように、上記したカメラ３１０、ＭＤ再生部３２０、ラジオ受信部３３０、ＴＶ受信部３４０、ＣＤ／ＤＶＤ再生部３５０、ＨＤ再生部３６０、ナビゲーション部３７０等から供給される音声データや画像データが入力される。そして、ナビゲーション部３７０からのナビゲーション画像データは、第１の画質調整回路５０Ａへ出力され、他の画像データは、制御部２０からの制御指令に応じて、第２の画質調整回路５０Ｂへ出力される。また、音声データは、音声調整回路６０へ出力される。
音声調整回路６０は、図４に示すように、分配回路３０から供給された音声データを調整してスピーカ６１へ出力する。
【００１６】
第１及び第２の画質調整回路５０Ａ，５０Ｂは、それぞれコントラスト調整部、輝度調整部、色調調整部、ガンマ値調整部等から構成され、制御部２０からの制御指令に応じて、第１及び第２の画像データの画質（コントラスト、輝度、色調、ガンマ値）をそれぞれ調整する。
【００１７】
表示部１００は、図４に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。
【００１８】
液晶パネル１１０は、図５に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
この液晶パネル１１０は、図５及び図６に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。
したがって、運転席側表示画面及び助手席側表示画面はそれぞれ４００×４８０画素の解像度を有する。
【００１９】
視差バリア１１５は、図５及び図６に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図５に示すように、液晶パネル１１０の右側（運転席側）からは第１の画像ＩＭ１が視認でき、左側（助手席側）からは第２の画像ＩＭ２が視認できるようになっている。
尚、視差バリア１１５は、特開平１０−１２３４６１号公報や特開平１１−８４１３１号公報等に開示されているものと同様のものを使用できる。
【００２０】
ＴＦＴ基板１１２は、図７に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬに対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。
データ線駆動回路ＤＲ１は、液晶パネル駆動部７４によりその駆動タイミングを制御されて、画素電極ＥＰへの印加電圧を制御する。
走査線駆動回路ＤＲ２は、液晶パネル駆動部７４によりその駆動タイミングを制御されて、ＴＦＴ素子ＥＬを選択走査する。
【００２１】
メモリ１４０は、例えば、フラッシュメモリ等の電気的書き換え可能な不揮発性メモリ又はバッテリバックアップされた揮発性メモリにより構成されており、制御部２０による制御に必要なデータ等を記憶している。
【００２２】
画像出力部７０は、図８に示すように、複数のＡＤ（アナログ・デジタル）変換器ＡＤ１〜ＡＤ７、ＹＣ分離回路７１、ＲＧＢデコーダ７２、切換回路７３、第２の解像度変更回路としての解像度変換回路７４、書込回路７５、読出回路７６、第１の解像度変更回路としての画素補間回路７７、出力タイミング制御回路７８、メモリＩＦ７９、ＶＲＡＭ８０、Ｃ／Ｂ調整回路８１、ＲＧＢ並替回路８２、ガンマテーブル８３、ガンマ補正回路８４、ＴＦＴタイミング制御回路８５等から構成され、この画像出力部７０は、例えば、ＡＳＩＣ（Application Specific Integrated Circuit）により形成される。
【００２３】
ＡＤ変換器ＡＤ１は、第２の画質調整回路５０Ｂから入力されるアナログ信号からなるＣＶ（コンポジットビデオ）信号のＹＣ信号（輝度信号及び色信号）をクロック信号ＣＬＫ１（例えば、１３ＭＨｚ）に同期してサンプリングすることによりデジタル信号に変換し、これをＹＣ分離回路７１へ出力する。
尚、ＣＶ信号は、解像度が７２０×２４０（ドット）であり、ＹＣ信号と複合同期信号ＣＳＹＮＣ１とからなり、複合同期信号ＣＳＹＮＣ１も画像出力部７０に入力される。複合同期信号ＣＳＹＮＣ１は、垂直同期信号成分と水平同期信号成分とを含む信号である。また、ＣＶ信号は、ＴＶ受信部３４０のアナログテレビ信号やＣＤ／ＤＶＤ再生部３５０から得られる信号で構成される。さらに、クロック信号ＣＬＫ１は、画像出力部７０の外部に設けられた電圧制御発振器ＶＣＯ１から供給される。
【００２４】
ＡＤ変換器ＡＤ２〜ＡＤ４は、第２の画質調整回路５０Ｂから入力されるアナログ信号からなるＥＧＡ信号のＲ，Ｇ，Ｂ信号を上記のクロック信号ＣＬＫ１に同期してサンプリングすることによりデジタル信号に変換し、これを切換回路７３へ出力する。
尚、ＥＧＡ信号は、解像度が４００×２４０（ドット）であり、Ｒ，Ｇ，Ｂ信号と複合同期信号ＣＳＹＮＣ２とからなり、複合同期信号ＣＳＹＮＣ２も画像出力部７０に入力される。複合同期信号ＣＳＹＮＣ２は、垂直同期信号成分と水平同期信号成分とを含む信号である。また、ＥＧＡ信号は、例えば、ＴＶ受信部３４０から得られるＤＴＶ（デジタルテレビ）信号をリサイズして形成した信号である。
【００２５】
ＡＤ変換器ＡＤ５〜ＡＤ７は、第１の画質調整回路５０Ａから入力されるアナログ信号からなるＷＶＧＡ信号のＲ，Ｇ，Ｂ信号をクロック信号ＣＬＫ２（例えば、３３．２３１ＭＨｚ）に同期してサンプリングしてデジタル信号に変換する。
尚、ＷＶＧＡ信号は、解像度が８００×４８０（ドット）であり、ナビゲーション部３７０から得られる信号であり、例えば、地図表示用の画像信号である。また、クロック信号ＣＬＫ２は、画像出力部７０の外部に設けられた電圧制御発振器ＶＣＯ２から供給される。
【００２６】
ＹＣ分離回路７１は、ＣＶ信号のＹＣ信号をＹ（輝度）信号とＣ（色）信号に分離してＲＧＢデコーダ７２へ出力する。
ＲＧＢデコーダ７２は、Ｙ信号とＣ信号をＲ，Ｇ，Ｂ信号に変換して切換回路７３へ出力する。
切換回路７３は、制御部２０から入力される切換信号ＳＥＬに応じて、ＣＶ信号のＲ，Ｇ，Ｂ信号とＥＧＡ信号のＲ，Ｇ，Ｂ信号との一方を選択的に解像度変換回路７４へ出力する。
【００２７】
解像度変換回路７４は、ＣＶ信号又はＥＧＡ信号のＲ，Ｇ，Ｂ信号の解像度を液晶パネル１１０の解像度（４００×４８０）になるように演算して書込回路７５へ出力する。すなわち、解像度変換回路７４は、各信号形式に応じて入力される画像信号の解像度を変更可能に形成されている。
【００２８】
ＶＲＡＭ８０は、ＣＶ信号又はＥＧＡ信号のＲ，Ｇ，Ｂ信号を一時的に保持するためのメモリであり、例えば、ＳＤＲＡＭ（Synchronous DRAM）が用いられる。
【００２９】
書込回路７５は、ＣＶ信号又はＥＧＡ信号の複合同期信号ＣＳＹＮＣ１又はＣＳＹＮＣ２に同期してＶＲＡＭ８０に書き込むべきデータ（Ｒ，Ｇ，Ｂ信号）をラッチする。
読出回路７６は、ＷＶＧＡ信号の出力タイミングでＶＲＡＭ８０から読み出したデータをラッチする。
【００３０】
画素補間回路７７は、８００×４８０の解像度のＷＶＧＡ信号（Ｒ，Ｇ，Ｂ信号）を画素補間演算して４００×４８０の解像度にリサイズし、ＲＧＢ並替回路８２に出力する。尚、第１の画質調整回路から入力される信号が４００×４８０のＶＧＡ信号であれば、この画像補間回路は省略することができる。
【００３１】
出力タイミング制御回路７８は、クロック信号ＣＬＫ２に基づいて、表示部１００（液晶パネル１１０）へ画像を出力するタイミングを生成する回路である。
メモリＩＦ７９は、ＶＲＡＭ８０へのアクセスを制御する回路であり、書込回路７５にラッチされたデータをＶＲＡＭ８０へＣＶ信号又はＥＧＡ信号の入力タイミングに同期して書き込むと共に、ＷＶＧＡ信号の出力タイミングに同期してＶＲＡＭ８０からデータを読み出してＣ／Ｂ調整回路８１へ出力する。
【００３２】
Ｃ／Ｂ調整回路８１は、ＶＲＡＭ８０に一時的に保持されて読み出されたＣＶ信号又はＥＧＡ信号のＲ，Ｇ，Ｂ信号からなる画像の画質を調整してＲＧＢ並替回路８２へ出力する。
【００３３】
ＲＧＢ並替回路８２は、画素補間回路７７及びＣ／Ｂ調整回路８１からの画素データを２画面表示用に並び替えてガンマ補正回路８４へ出力する。
ガンマ補正回路８４は、液晶パネル１１０の特性に合わせてＲ，Ｇ，Ｂ単位でリニアでガンマ補正をする回路である。
ガンマテーブル８３は、ガンマ補正のためのテーブル値を保持するためのメモリである。
ＴＦＴタイミング制御回路８５は、液晶パネル１１０のＴＦＴ基板１１２に形成された回路の駆動タイミングに合わせて画像データを出力する回路である。
【００３４】
このように、画像出力部７０では、異なるタイミングで入力されるＷＶＧＡ信号とＣＶ信号又はＥＧＡ信号のうち、ＣＶ信号又はＥＧＡ信号をＶＲＡＭ８０に一時的に保持すると共に、ＷＶＧＡ信号の液晶パネル１１０への出力タイミングに合わせてＶＲＡＭ８０に一時的に保持したＣＶ信号又はＥＧＡ信号を液晶パネル１１０へ出力する。
【００３５】
本実施形態によれば、ＣＶ信号又はＥＧＡ信号をＶＲＡＭ８０に一時的に保持することにより、ＷＶＧＡ信号の液晶パネル１１０への出力タイミングに合わせてＣＶ信号又はＥＧＡ信号も液晶パネル１１０へ出力できるので、出力回路としてのＴＦＴタイミング制御回路８５やガンマ補正回路８４を共通に使用でき、画像出力部７０の回路規模が大きくなるのを抑制できる。
また、ＣＶ信号又はＥＧＡ信号のみをＶＲＡＭ８０に一時的に保持して、ＷＶＧＡ信号を一時的に保持するためのメモリが必要ないので、必要最小限のメモリ容量で入力タイミングが異なる信号の出力タイミングを合わせることができる。
【００３６】
上記実施形態では、表示部１００に液晶パネルを使用した場合について説明したが、これに限定されるわけではなく、液晶パネル以外のフラットパネルディスレイ、例えば有機ＥＬディスプレイパネル、プラズマディスプレイパネル、冷陰極フラットパネルディスプレイ等を用いることもできる。
【００３７】
上記実施形態は本発明の好適な実施形態である。但し、これに限定されるものではなく、本発明の要旨を逸脱しない範囲内において種々変形実施可能である。
【図面の簡単な説明】
【００３８】
【図１】本発明の一実施形態に係る表示装置の基本構成を説明するための図である。
【図２】表示装置の外観斜視図である。
【図３】表示装置の車両への適用例を示す斜視図である。
【図４】車載用表示装置の構成を示す機能ブロック図である。
【図５】表示部の断面構造を示す図である。
【図６】液晶パネルの正面図である。
【図７】ＴＦＴ基板の回路図である。
【図８】画像出力部の構成を示す機能ブロック図である。
【符号の説明】
【００３９】
１０…表示制御部
２０…制御部
３０…分配回路
５０Ａ，５０Ｂ…第１及び第２の画質調整回路
６０…音声調整回路
７０…画像出力部
７１…ＹＣ分離回路
７２…ＲＧＢデコーダ
７３…切換回路
７４…解像度変換回路（第２の解像度変更回路）
７５…書込回路
７６…読出回路
７７…画素補間回路（第１の解像度変更回路）
７８…出力タイミング制御回路
７９…メモリＩＦ
８０…ＶＲＡＭ
８１…Ｃ／Ｂ調整回路
８２…ＲＧＢ並替回路
８３…ガンマテーブル
８４…ガンマ補正回路
８５…ＴＦＴタイミング制御回路
１００…表示部（表示パネル）
１００Ａ…装置本体
１１０…液晶パネル
１２０…バックライト
１３０…タッチパネル
１４０…メモリ
１５０…操作部
１７０…リモコン送受信部
１９０…明るさ検知センサ
２００…乗員検知センサ
３００Ａ，３００Ｂ…画像ソース
３１０…カメラ
３２０…ＭＤ再生部
３３０…ラジオ受信部
３４０…ＴＶ受信部
３５０…ＣＤ／ＤＶＤ再生部
３６０…ＨＤ再生部
３７０…ナビゲーション部
【図１】
2007086370.tif 000003
【図２】
2007086370.tif 000004
【図３】
2007086370.tif 000005
【図４】
2007086370.tif 000006
【図５】
2007086370.tif 000007
【図６】
2007086370.tif 000008
【図７】
2007086370.tif 000009
【図８】
2007086370.tif 000010